(57)【特許請求の範囲】
【請求項１】
テレビジョン信号を受信するテレビジョン受信装置において、受信部を冷却する冷却ファンのプロペラ部にアンテナパターンを形成するエレメントと、前記冷却ファンの回転速度を制御し、かつ、前記冷却ファンのプロペラ部に備えられた前記エレメントの回転角度を検出する回転制御部と、前記エレメントが受信した受信信号から、指定した選局周波数帯域の受信感度を測定する受信感度検出部とを備え、前記回転制御部にて検出された回転角度情報と前記受信感度検出部にて測定された前記エレメントの受信感度から、最大の受信感度となる前記エレメントの回転角度を検出して、アンテナの最適な向きを検出することを特徴とするテレビジョン受信装置。
【請求項２】
請求項１に記載のテレビジョン受信装置において、前記最大の受信感度となるエレメントの回転角度をグラフィカルに表示する表示部を備えることを特徴とするテレビジョン受信装置。
【請求項３】
請求項１または２に記載のテレビジョン受信装置において、前記冷却ファンのプロペラ部に備えられた前記エレメントとは別に、テレビ信号をメインに受信するメインアンテナを備え、該メインアンテナは回転自在であり指定された向きにまで回転させることが可能に構成されており、最大の受信感度となる前記エレメントの回転角度を検出した際に、検出された前記エレメントの回転角度と同じ角度まで、該メインアンテナの向きを自動的に回転させることを特徴とするテレビジョン受信装置。
【請求項４】
前記冷却ファンに形成したエレメントがアンテナの全部または一部として機能することを特徴とする請求項１または２に記載のテレビジョン受信装置。
【発明の詳細な説明】
【技術分野】
【０００１】
本発明は、テレビジョン受信装置に関し、特に、テレビ用のアンテナ機能を搭載したテレビジョン受信装置に関する。また、本発明は、テレビ機能を備えたＰＣ（Ｐｅｒｓｏｎａｌ  Ｃｏｍｐｕｔｅｒ）や携帯電話や携帯端末機器（ＰＤＡ：Ｐｅｒｓｏｎａｌ  Ｄｉｇｉｔａｌ  Ａｓｓｉｓｔａｎｔｓ）等のテレビ受信機能を有する装置についても、同様に適用することができる。
【背景技術】
【０００２】
室内において自由な場所への移動を前提としたポータブルテレビジョン受信装置において、筺体外部（天面など）にロッド型アンテナを搭載したものは、これまでも存在していた。また、テレビジョン受信装置ではないが、特許文献１の特開２００３−２７４４７７号公報「アンテナ内蔵型ヘッドホン及び信号受信装置」には、ヘッドホンのような機器内部にアンテナを装備させたものも提案されている。
【特許文献１】特開２００３−２７４４７７号公報
【発明の開示】
【発明が解決しようとする課題】
【０００３】
しかしながら、前述した従来のような技術では、アンテナとしては専用のアンテナが必要であり、テレビジョン受信装置のその他の各構成機材がアンテナ機能までも兼ね備えるようには構成されていない。逆に言えば、従来技術では、テレビジョン受信装置に内蔵して搭載されたアンテナがあったとしても、該アンテナはアンテナ機能としてしか利用しておらず、該アンテナに対して複数の役割・機能を持たせて、テレビジョン受信装置のその他の構成機材の機能まで兼ねさせるようにしたものではなかった。従って、アンテナ機能を始めとして必要とする各種機能を備えるテレビジョン受信装置を構成する場合に、それぞれの機能に対応する回路や機構を各構成機材として備えさせることが必要となり、装置の低価格化や小型化を図ることが困難になっている。
【０００４】
本発明は、このような実情に鑑みて提案されたものであり、テレビジョン受信装置の内部機材（冷却ファンのプロペラ）が、本来の機能の他に、アンテナとしても機能し、これらの機材を用いて、テレビ信号の受信を可能とすることを目的としている。
【課題を解決するための手段】
【０００６】
前述した目的を達成するために、本発明に係るアンテナ機能を搭載したテレビジョン受信装置は、受信部の冷却ファンのプロペラ部にアンテナを搭載し、回転速度指定により冷却ファンの回転を制御し、更に、プロペラ部に搭載したアンテナの回転角度を検出する回転制御部と、アンテナ受信信号から、指定した選局周波数帯域の受信感度を測定する受信感度検出部とを備え、指定した選局周波数帯域において、最大の受信感度となるアンテナの回転角度を最適なアンテナ方向として検出することを特徴とする。更に、プロペラ部に搭載したアンテナとは別にメインアンテナを備えて、プロペラ部に搭載したアンテナにより検出された最適なアンテナ方向に該メインアンテナの向きを自動的に調整させることを特徴とする。
【００１８】
以下に、本発明に係るテレビジョン受信装置について更に具体的な技術手段を示す。
第１の技術手段は、テレビジョン信号を受信するテレビジョン受信装置において、受信部を冷却する冷却ファンのプロペラ部にアンテナパターンを形成するエレメントと、前記冷却ファンの回転速度を制御し、かつ、前記冷却ファンのプロペラ部に備えられた前記エレメントの回転角度を検出する回転制御部と、前記エレメントが受信した受信信号から、指定した選局周波数帯域の受信感度を測定する受信感度検出部とを備え、前記回転制御部にて検出された回転角度情報と前記受信感度検出部にて測定された前記エレメントの受信感度から、最大の受信感度となる前記エレメントの回転角度を検出して、アンテナの最適な向きを検出することを特徴とする。
【００１９】
第２の技術手段は、前記第１の技術手段に記載のテレビジョン受信装置において、前記最大の受信感度となるエレメントの回転角度をグラフィカルに表示する表示部を備えることを特徴とするテレビジョン受信装置。
【００２０】
第３の技術手段は、前記第１または第２の技術手段に記載のテレビジョン受信装置において、前記冷却ファンのプロペラ部に備えられた前記エレメントとは別に、テレビ信号をメインに受信するメインアンテナを備え、該メインアンテナは回転自在であり指定された向きにまで回転させることが可能に構成されており、最大の受信感度となる前記エレメントの回転角度を検出した際に、検出された前記エレメントの回転角度と同じ角度まで、該メインアンテナの向きを自動的に回転させることを特徴とする。
【００２１】
第４の技術手段は、前記第１または第２の技術手段に記載のテレビジョン受信装置において、前記冷却ファンに形成したエレメントがアンテナの全部または一部として機能することを特徴とする。
【発明の効果】
【００２７】
本発明によれば、ユーザがむやみにアンテナの向きを回転させて最適な受信位置を探すような調整をすること無く、アンテナの最適な向きを自動的に検出することができるので、ユーザは最適な向きとして表示部に表示された向きにアンテナの向きを回転させるだけで、最適なアンテナ位置に調整することが可能である。更に、アンテナの向きを最適位置に自動的に調整することも可能であり、ユーザがアンテナの向きを調整する必要が無くなる。
【発明を実施するための最良の形態】
【００３０】
以下に、アンテナ機能を搭載した本発明に係るテレビジョン受信装置の一実施形態について、図面を参照しながら説明する。なお、以下の実施形態においては、アンテナ機能を搭載するようにした本発明に係るテレビジョン受信装置の一例として、液晶テレビを例にとって説明するが、本発明に係るテレビジョン受信装置は、液晶テレビのみに限るものではなく、テレビ用アンテナを搭載可能なものであれば、例えば、ＥＬ（Ｅｌｅｃｔｒｏ  Ｌｕｍｉｎｅｓｃｅｎｔ  Ｄｉｓｐｌａｙ）テレビ、ＰＤＰ（Ｐｌａｓｍａ  Ｄｉｓｐｌａｙ  Ｐａｎｅｌ）テレビ、ＦＥＤ（Ｆｉｅｌｄ  Ｅｍｍｉｓｉｏｎ  Ｄｉｓｐｌａｙ）テレビ、ＣＲＴ（Ｃａｔｈｏｄｅ  Ｒａｙ  Ｔｕｂｅ）テレビ等を含め、如何なるテレビジョン受信装置であってもかまわない。
【００５３】
図１は、本発明の一実施形態に係るテレビジョン受信装置として、受信部の冷却ファンがより最適なアンテナ方向を検出することを特徴とする液晶テレビの構成図であり、液晶テレビの受信部を冷却するための冷却ファンのプロペラ部がアンテナの全部または一部として機能するための機能ブロックを中心に示している。図１（Ｂ）の冷却ファン部に示すように、受信部の冷却ファン１１０５は、該冷却ファン１１０５のプロペラ部１１０５ａに、別に設けられているメインアンテナ２１の向きを調整することを可能とするために、サブアンテナ２２を搭載している。ここで、サブアンテナ２２は冷却ファン１１０５のプロペラ部１１０５ａが回転すると同じ回転速度で回転するものであり、冷却ファン１１０５の回転に応じて該サブアンテナ２２の向きも変化するように設置されている。
【００５４】
一方、図１（Ａ）のアンテナ方向検出回路ブロック部に示すように、サブアンテナ２２で受信したテレビ信号は、受信感度検出部１１０３に送信されるが、受信感度検出部１１０３においては、受信したテレビ信号の中から、ＣＰＵ１１０１から指定された選局周波数帯域の受信感度（受信電力）を検出する機能を有する。また、回転制御部１１０４では、冷却ファン１１０５に設置されたサブアンテナ２２がどの位置まで回転しているかを示す回転角度情報を検出する機能を有する。冷却ファン１１０５は、通常は、受信部を冷却するために高速にて回転しているが、サブアンテナ２２の向きの最適位置を検出する場合には、以下のように動作する。
【００５５】
ＣＰＵ１１０１が、受信感度検出部１１０３に対して、選局周波数帯域を指定すると共に、アンテナ方向検出モードの指定を行う。アンテナ方向検出モードの指定を受け取った受信感度検出部１１０３は、ＣＰＵ１１０１から指定された選局周波数帯域におけるサブアンテナ２２からの受信感度を計測するように動作する。更に、受信感度検出部１１０３は、回転制御部１１０４に対して、冷却ファン１１０５の回転を低速で回転するモードに設定することにより、冷却ファン１１０５は、プロペラ部１１０５ａに搭載されているサブアンテナ２２と共に、低速で回転するようになる。受信感度検出部１１０３においては、サブアンテナ２２で選局受信したアンテナ受信感度が最大となる回転角度を検出するために、受信感度とその時のサブアンテナ２２の回転位置を示す回転制御部１１０４からの回転角度情報とをＣＰＵ１１０１に定期的に通知する。ＣＰＵ１１０１は、受信強度が或る時間の間で平均して最大となるサブアンテナ２２の回転角度を計算するようにし、計算結果を表示部１１０２に表示する。
【００５６】
表示部１１０２への表示の方法は、グラフィカルな表示とし、サブアンテナ２２の回転角度即ち向きが液晶パネルの前面に対してどの向きにあり、別に設けられているメインアンテナ２１の向きをどの向きに調整すべきかが容易に識別できるような表示とする。この情報を基に、ユーザは、メインアンテナ２１の向きを表示部１１０２に表示されているサブアンテナ２２と同じ向きに調整する。なお、メインアンテナ２１の向きを調整している際に、受信感度検出部１１０３にてメインアンテナ２１の受信感度を検出してＣＰＵ１１０１に対して通知し、表示部１１０２にその結果を表示することにより、メインアンテナ２１の向きの調整を容易化することもできる。
【００５７】
前述した例では、受信感度検出部１１０３及びＣＰＵ１１０１において、或る時間の間平均して受信感度が最大となる回転角度情報を計算するようにしているが、受信感度検出部１１０３では、ＣＰＵ１１０１からの指示がある時にのみ回転角度情報と受信強度の情報とを検出するようにしても良い。また、回転制御部１１０４に対して、低速や高速の回転速度に関するモードを指定するのでは無く、サブアンテナ２２の回転角度を指定するようにして、指定された回転角度に冷却ファン１１０５のプロペラ部１１０５ａの位置を回転させることによりサブアンテナ２２の位置を調整するようにしても良い。
【００５８】
また、前述した例では、ユーザが表示部１１０２の情報に基づいてメインアンテナ２１の向きを調整していたが、メインアンテナ２１の向きを自動的に調整可能とする機能を有している場合は、ユーザの手をわずらわせることなく、視聴中に自動的に最適位置にメインアンテナ２１の向きを調整することが可能である。この場合、メインアンテナ２１は、冷却ファン１１０５のプロペラ部１１０５ａに設置したサブアンテナ２２とは別に設けられているが、ＣＰＵ１１０１からの回転角度指定を受けて任意の角度まで回転させることが可能な回転自在の状態に構成されていて、サブアンテナ２２と同じ回転角度を指定することにより、メインアンテナ２１の向きを最適な状態にまで回転させることができる。
【００５９】
即ち、メインアンテナ２１は、サブアンテナ２２の受信感度最大の角度情報として検出された角度位置にまで回転調整できる機能を有し、ＣＰＵ１１０１からの指定により、メインアンテナ２１の向きを調整できるようにしている。メインアンテナ２１の向きを自動調整するタイミングとしては、受信状態が悪くなり、映像が正しく表示できなくなったことが検知された際に、自動的に調整することも可能である。また、チャンネルサーチ時に、冷却ファン１１０５に設定されたサブアンテナ２２を用いて、チャンネル毎にメインアンテナ２１の最適位置を予め測定して、記憶しておき、次回のチャンネル選局時には、該チャンネルに対応したメインアンテナ２１の最適位置に向きを調整設定するようにすることも可能である。
【００６０】
なお、前述した実施例では、１台の冷却ファン１１０５のみに備えられたサブアンテナ２２によりメインアンテナ２１の最適位置を検出していたが、複数のサブアンテナ２２をそれぞれ独立に備えた複数の冷却ファン１１０５を互いに異なる方向に配置することにより、例えばサブアンテナ２２を備えた一台の冷却ファンは水平方向、サブアンテナ２２を備えたもう一台は垂直方向に配置することにより、３次元でのメインアンテナ２１の最適な方向を検出することも可能である。また、メインアンテナ２１も一方向だけではなく、水平方向や垂直方向への回転制御も可能とし、３次元でのメインアンテナ２１の最適な方向に自動的に調整できるようにしても良い。
以上のように、図１の液晶テレビにおいては、冷却ファン１１０５が、全部又は一部のアンテナ機能を兼ね備えたものとして構成される。
【００７２】
以上に説明した実施例においては、本発明に係るテレビジョン受信装置として液晶テレビを例にとって説明したが、前述したように、液晶テレビに限るものではなく、ＥＬテレビ、ＰＤＰテレビ、ＦＥＤテレビ、ＣＲＴテレビ等であっても、テレビ用のアンテナ機能を搭載したテレビジョン受信装置として提供することができる。また、ＰＣ（Ｐｅｒｓｏｎａｌ  Ｃｏｍｐｕｔｅｒ）等のようなテレビ機能を備えた様々な装置であっても、本発明に係るテレビジョン受信装置の場合と同様に、テレビ用アンテナ機能を搭載した装置として提供することも可能である。
【図面の簡単な説明】
【００７３】
【図１】本発明の一実施形態に係るテレビジョン受信装置として、受信部の冷却ファンがより最適なアンテナ方向を検出することを特徴とする液晶テレビの構成図である。
【符号の説明】
【００７４】
２１…メインアンテナ、２２…サブアンテナ、１１０１…ＣＰＵ、１１０２…表示部、１１０３…受信感度検出部、１１０４…回転制御部、１１０５…冷却ファン、１１０５ａ…プロペラ部。
【図１】
0004067510.tif 000002